(57)【要約】【課題】土壌中におけるアンモニア態窒素の存在期間を延ばした窒素肥料を提供する。【解決手段】本発明は、カルシウムアルミネートを含有してなる窒素肥料組成物である。また、本発明は、Ａｌ２Ｏ３が４０〜６５質量％、ＣａＯが３５〜６０質量％を含むカルシウムアルミネートを３〜３０質量％含有してなる窒素肥料組成物である。いずれの窒素肥料組成物にあっても、窒素肥料が石灰窒素肥料であることが好ましい。【選択図】なし【特許請求の範囲】
【請求項１】
カルシウムアルミネートを含有してなる窒素肥料組成物。
【請求項２】
Ａｌ２Ｏ３が４０〜６５質量％、ＣａＯが３５〜６０質量％を含むカルシウムアルミネートを３〜３０質量％含有してなる窒素肥料組成物。
【請求項３】
窒素肥料が石灰窒素肥料である請求項１又は請求項２に記載の窒素肥料組成物。
【発明の詳細な説明】
【技術分野】
【０００１】
本発明は、窒素肥料組成物に関する。
【背景技術】
【０００２】
肥料の３要素の一つである窒素は、アンモニア態窒素又はそれが土壌中の微生物によって硝酸化成した硝酸態窒素の形態として根から吸収されるが、アンモニア態窒素の方が肥効が大きい。アンモニア態窒素は土壌中で陽イオンとなり、負の荷電を有する土壌コロイドに吸着するので、地下水等で流亡することは少ないが、やがて陰イオンである硝酸態窒素に変化すると流亡しすくなる。ここで、アンモニア態窒素としては、例えばアンモニア、アンモニウム塩、尿素態窒素、有機態窒素、シアナミド態窒素由来のアンモニア態窒素等を例示することができる。
【０００３】
このような流亡を軽減させるため、窒素肥料を緩効性とすることが種々提案されている。たとえば、合成樹脂、パラフィン類、油脂類、硫黄等で被覆する（特許文献１）、微生物の働きを抑える硝酸化成抑制剤を添加する（非特許文献１）などである。しかしながら、今日の要求は一段と高く、緩効性を更に高めた窒素肥料の出現が待たれている。
【特許文献１】特公昭５４−３１０４号公報
【非特許文献１】三幣正巳  硝酸化成抑制剤に関する研究（Ｉ）、農業技術研究所報告Ｂ  Ｎｏ．２３  ｐｐ７９−１４６（１９７２）
【発明の開示】
【発明が解決しようとする課題】
【０００４】
本発明の目的は、土壌中におけるアンモニア態窒素の存在期間を延ばした窒素肥料を提供することである。
【課題を解決するための手段】
【０００５】
本発明は、カルシウムアルミネートを含有してなる窒素肥料組成物である。また、本発明は、Ａｌ２Ｏ３が４０〜６５質量％、ＣａＯが３５〜６０質量％を含むカルシウムアルミネートを３〜３０質量％含有してなる窒素肥料組成物である。いずれの窒素肥料組成物にあっても、窒素肥料が石灰窒素肥料であることが好ましい。
【発明の効果】
【０００６】
本発明の窒素肥料組成物は、土壌中におけるアンモニア態窒素の存在期間が延長する。その結果、アンモニア態窒素を植物体に吸収せる機会がより多くなるので、より良好な植物体の生育が期待できる。
【発明を実施するための最良の形態】
【０００７】
本発明でいうカルシウムアルミネートとは、カルシウムとアルミナとを基本成分とする化合物を意味し、その非晶質、結晶質、更には固溶体などの結晶形態には制約はない。それを例示すれば、ＣがＣａＯ、ＡがＡｌ２Ｏ３を表すとして、Ｃ３Ａ、ＣＡ、Ｃ１２Ａ７、ＣＡ２等のカルシウムアルミネートや、これらの組成を有する無定形カルシウムアルミネートや、更にはフッ素、塩素等のハロゲン元素ないしはナトリウム等のアルカリ金属元素などが固溶したカルシウムアルミネートの固溶物などであり、これらの一種又は二種以上が使用される。化学組成としては、Ａｌ２Ｏ３が４０〜６５質量％、ＣａＯが３５〜６０質量％を含むカルシウムアルミネートが好ましく、特にＡｌ２Ｏ３が４５〜６５質量％、ＣａＯが３５〜５５質量％を含むものが好ましい。また、ブレーン粉末度は２０００〜５０００ｃｍ２／ｇが好ましい。
【０００８】
カルシウムアルミネートは、常法により製造することができる。例えば石灰石、カーバイド石灰等の石灰質資材と、例えばボーキサイト、高アルミナ質、及び精製アルミナ等のアルミナ質資材との混合原料を焼成又は溶融等の熱処理をして製造することができる。カルシウムアルミネートの典型的な市販品にはアルミナセメントがあり、本発明における好適例の一つである。
【０００９】
カルシウムアルミネートの含有率は、本発明の窒素肥料組成物中、３〜３０質量％であることが好ましく、特に５〜２０質量％であることが好ましい。これによって、土壌中におけるアンモニア態窒素の存在期間の延長効果がより大きくなる。
【００１０】
カルシウムアルミネートを含有させる窒素肥料については特別な制限はなく、例えば窒素分を３質量％以上を含有している在来の窒素肥料が用いられる。それを例示すれば、窒素質肥料、有機質肥料及び複合肥料などであり、具体例をあげれば、例えば石灰窒素、尿素、硫安、塩安、硝安、硝酸石灰、リン安、硝酸ソーダ、硝酸苦土肥料、腐植酸アンモニア肥料、ウレアホルム、尿素とイソブチルアルデヒドの縮合物、尿素とアセトアルデヒドの縮合物、ジシアンジアミド加水物の硫酸塩、ジシアンジアミド加水物のリン酸塩、シュウ酸とアンモニアの縮合物等である。これらの窒素肥料は一種又は二種以上が使用されるが、中でも石灰窒素が土壌中におけるアンモニア態窒素の存在期間の延長効果がより大きくなる傾向を示すので好ましい。
【００１１】
本発明の窒素肥料組成物には、例えば高炉スラグ、製鋼スラグ、フライアッシュ及び石灰石等の石灰質物質や、例えばマンガン、ヨウ素、ホウ素、リン酸等の植物体の成長に必要な微量成分を含有させることもできる。本発明の窒素肥料組成物の形態は、施用の粉塵発生を軽減する観点から、粉末よりも０．５〜１０ｍｍの粒状、ペレット状等であることが好ましい。
【実施例】
【００１２】
実施例１
石灰窒素（電気化学工業社製商品名「石灰窒素」、シアナミド態窒素２４質量％含有。）を２３．１質量％、尿素を１１．５質量％、炭酸カルシウム粉末を５３．９質量％、ダイズ硬化油を１．５質量％、市販のアルミナセメント（ＣａＯが３８．３質量％、Ａｌ２Ｏ３が５３．２質量％、残部がＳｉＯ２、ＴｉＯ２等で、ブレーン粉末度が３５００ｃｍ２／ｇ。）を１０質量％を混合し、押出成型を行ってペレット状の窒素肥料組成物（窒素分が１０質量％、平均粒径が３ｍｍ、平均長さ５ｍｍ。）を製造した。得られた窒素肥料組成物のアンモニア消化試験を以下に従って行った。その結果を表１に示す。
【００１３】
アンモニア硝化試験
２５℃の条件下、７０ｍｌのプラスチック製ビンに表層腐植質黒ボク土からなる乾燥土３０ｇと水を添加した。水の使用量は表層腐植質黒ボク土の最大容水量の６０質量％とした。つぎに、窒素肥料組成物６０ｍｇをピンセットで土壌のほぼ中央に埋め、アルミニウム箔で蓋をした。その後、プラスチック製ビンを２０℃の恒温漕に入れ、一定時間経過毎に土壌中のアンモニアを１５０ｍｌの１N硫酸カリウムで抽出濾過し、濾液２０ｍｌに対し１０Nの水酸化ナトリウム０．２ｍｌを滴下してアルカリ性にし、イオン電極を用いて濾液中のアンモニウムイオンを定量し、アンモニア態様の窒素量を測定した。
【００１４】
実施例２
カルシウムアルミネートとして、ブレーン粉末度が４１００ｃｍ２／ｇ、ＣａＯが３３．５質量％、Ａｌ２Ｏ３が４９．８質量％、残部がＳｉＯ２、ＴｉＯ２等であるカルシウムアルミネートを用いたこと以外は、実施例１と同様にしてペレット状の窒素肥料組成物を製造した。
【００１５】
実施例３
炭酸カルシウム粉末５３．９質量％のかわりに、熔燐（日之出化学工業社製商品名「ようりん」）を３６．２質量％及び塩化カリウム粉末１７．７質量％を用いたこと以外は、実施例２と同様にしてペレット状の窒素肥料組成物（窒素分が質量１０％、リン酸分が７質量、カリ分が１０質量％で、平均粒径が３ｍｍ、平均長さ５ｍｍ。）を製造した。
【００１６】
実施例４
乾燥土として中粗粒褐色低地土を用いたこと以外は、実施例１と同様にして試験した。
【００１７】
比較例１
アルミナセメントのかわりに石英砂（ブレーン粉末度３２００ｃｍ２／ｇ）を用いたこと以外は、実施例１と同様にしてペレット状の窒素肥料組成物を製造した。
【００１８】
比較例２
カルシウムアルミネートのかわりに石英砂（ブレーン粉末度３２００ｃｍ２／ｇ）を用いたこと以外は、実施例３と同様にしてペレット状の窒素肥料組成物を製造した。
【００１９】
比較例３
アルミナセメントのかわりに石英砂（ブレーン粉末度３２００ｃｍ２／ｇ）を用いたこと以外は、実施例４と同様にして試験した。
【００２０】
【表１】
2006193368.tif 000002
【産業上の利用可能性】
【００２１】
本発明の窒素肥料組成物は、窒素肥料として使用できる。